(57)【特許請求の範囲】
【請求項１】
液状内容物を収容する合成樹脂製ボトルに形成された円筒状の口部に設けられる合成樹脂製キャップであって、
前記ボトルの口部に嵌着される中栓と、該中栓を介してボトルの口部に着脱自在に取り付けられる注出口体とを備え、
前記中栓は、ボトルの口部上縁部に嵌合する円筒状の嵌合部と、該嵌合部の径方向一方側から内方に張出してボトルの口部の一部を覆う板状の張出し部と、該張出し部の端縁を内周縁の一部として該張出し部の面積より大きく開口され、ボトルの内部に連通する開口部と、少なくとも該開口部の上部外周に剥離可能に貼着されて該開口部を封止するフィルムとを備え、
前記注出口体は、前記中栓の開口部を介して注出するボトル内部の液状内容物をボトル外部に案内する注出口を備えることを特徴とする合成樹脂製キャップ。
【請求項２】
前記合成樹脂製ボトルは、前記口部の上縁から所定距離を存した下方位置の外周に環状に突出するサポートリングが形成されており、
前記中栓は前記サポートリングより上方位置に嵌着されることを特徴とする請求項１記載の合成樹脂製キャップ。
【請求項３】
前記中栓の嵌合部は、その内方に突出する第１突起を備え、
前記ボトルの口部は、該中栓の第１突起に嵌合すべく外方に突出する第２突起を備え、
前記中栓の第１突起は、少なくとも前記張出し部に対応する範囲の突出量が他部より小とされていることを特徴とする請求項１又は２記載の合成樹脂製キャップ。
【請求項４】
前記中栓は射出成形により形成され、射出成形時のゲート痕が前記張出し部に形成されることを特徴とする請求項１乃至３の何れか１項記載の合成樹脂製キャップ。
【請求項５】
前記注出口体は、前記注出口が前記中栓の開口部の位置に対応して偏心した位置に形成されていると共に、前記中栓の外周壁に螺着することにより前記ボトルに取り付けられ、
該注出口体の中栓への螺着完了時に中栓の開口部の直上に注出口が位置することを特徴とする請求項１乃至４の何れか１項記載の合成樹脂製キャップ。
【請求項６】
前記中栓の上端周縁に沿って環状に形成されて起立する起立壁を設け、
前記注出口体における前記起立壁に対向する内面側に、前記中栓を介して該注出口体を前記ボトルの口部に取り付けたとき、前記起立壁の全周一側面に液密に密着する筒状の垂下壁を設けたことを特徴とする請求項１乃至５の何れか１項記載の合成樹脂製キャップ。
【請求項７】
前記張出し部は、その一部に上下方向に貫通する貫通部が形成されていることを特徴とする請求項１乃至６の何れか１項記載の合成樹脂製キャップ。
【請求項８】
前記張出し部は、前記開口部に向かって次第に下降するように傾斜して設けられていることを特徴とする請求項１乃至７の何れか１項記載の合成樹脂製キャップ。
【請求項９】
前記注出口体は、その下面から垂下して前記フィルムに圧接することにより該フィルムの貼着位置を押える押え片を備えることを特徴とする請求項１乃至８の何れか１項記載の合成樹脂製キャップ。
【発明の詳細な説明】
【技術分野】
【０００１】
本発明は、合成樹脂製ボトルに取り付けて用いる合成樹脂製キャップに関する。
【背景技術】
【０００２】
従来、液状内容物を収容する合成樹脂製ボトルとして、ポリエチレンテレフタレート（以下ＰＥＴ）製のボトルが挙げられるが、この種のボトルの口部を閉塞するために、ポリエチレン（以下ＰＥ）等の合成樹脂により形成されたキャップが装着されているものが知られている（特許文献１参照）。この種のキャップは、ボトルの口部を閉塞すると共に一部を破断開口することによって液状内容物が注出可能となる注出口を備える注出口体と、この注出口を開閉する蓋部とにより構成され、注出口体がボトルの口部に打栓により圧入されることによってボトルの口部に強固に嵌着されている。
【０００３】
また、この種の注出口体においては、分別廃棄が容易に行えるように、注出口体の周壁を破断するための取外し用スコアを設けて、この取外し用スコアを破断してボトルから容易に取り外すことができるようになっている。
【先行技術文献】
【特許文献】
【０００４】
【特許文献１】特開平８−５８８２４号公報
【発明の概要】
【発明が解決しようとする課題】
【０００５】
しかし、この種の合成樹脂製キャップは、ボトルの口部に嵌着させる注出口体の周壁に取外し用スコアが設けられていることによって、ボトルの口部への打栓圧入時に該スコアが不用意に破断され、注出口体が装着不良となる不都合がある。また、この種の注出口体の周壁には、取外し用スコアの破断開始位置の近傍に把持片が設けられており、該把持片を把持して引っ張ることにより取外し用スコアが破断されるようになっているが、使用者が開封時に誤って取外し用スコアを破断する場合もあり、注出口体の強固な嵌着状態が維持できなくなる不都合がある。
【０００６】
以上の点に鑑み、本発明は、高い密封性を維持することができるだけでなく、ボトルからの不用意な外れを防止したうえでボトルとの分別廃棄を容易に行うことができる合成樹脂製キャップを提供することを課題とする。
【課題を解決するための手段】
【０００７】
かかる課題を解決するために、本発明は、液状内容物を収容する合成樹脂製ボトルに形成された円筒状の口部に設けられる合成樹脂製キャップであって、前記ボトルの口部に嵌着される中栓と、該中栓を介してボトルの口部に着脱自在に取り付けられる注出口体とを備え、前記中栓は、ボトルの口部上縁部に嵌合する円筒状の嵌合部と、該嵌合部の径方向一方側から内方に張出してボトルの口部の一部を覆う板状の張出し部と、該張出し部の端縁を内周縁の一部として該張出し部の面積より大きく開口され、ボトルの内部に連通する開口部と、少なくとも該開口部の上部外周に剥離可能に貼着されて該開口部を封止するフィルムとを備え、前記注出口体は、前記中栓の開口部を介して注出するボトル内部の液状内容物をボトル外部に案内する注出口を備えることを特徴とする。
【０００８】
上記構成により、本発明の合成樹脂製キャップにおいては、前記注出口体をボトルから取り外し、前記フィルムを剥離除去した後に再びボトルに注出口体を取り付けてボトル内部の液状内容物を注出可能とする。
【０００９】
また、前記注出口体をボトルから取り外し、前記フィルムが除去されて開放状態の前記開口部から棒状の物体（スプーンの柄等）を挿入して該物体の端部を前記張出し部の下面側に掛止させ、該張出し部の対向側の嵌合部の上縁を支点として棒状の物体を揺動させて張出し部を押し上げて、ボトルの口部への嵌合部の嵌合を解除させることにより、前記中栓がボトルから取り外し自在とされている。
【００１０】
これによれば、中栓をボトルから極めて容易に取り外すことができるので、分別廃棄が容易であるだけでなく、従来のように中栓の外周面に破断可能な弱め線を設けておく必要がないので、弱め線の不用意な破断による中栓の外れが防止でき、使用中には中栓の嵌着状態を確実に維持することができる。
【００１１】
更に、前記中栓を前記注出口体により覆い隠すことができ、悪戯等によりフィルムが剥離されて開封されることを確実に防止することができる。
【００１２】
また、本発明において、前記合成樹脂製ボトルは、前記口部の上縁から所定距離を存した下方位置の外周に環状に突出するサポートリングが形成されており、前記中栓は前記サポートリングより上方位置に嵌着されることを特徴とする。
【００１３】
これによれば、ボトル内部に液状内容物を充填した後に、ボトルの口部に中栓を打栓して嵌着する際、サポートリングを保持して打栓を行うことができる。一般に、この種の合成樹脂製ボトルは薄肉化されて座屈強度が比較的弱い場合があるが、この場合にも、サポートリングで打栓時の衝撃を受けることができる。従って、ボトルに損傷を与えることなく嵌着強度の高い中栓を採用することができ、中栓の不用意な外れを確実に防止することができる。更に、中栓はサポートリングの上方に嵌着されるので、既存の打栓機を用いてボトル口部に中栓を取り付けることができるので、専用の設備が不要となってコスト増加を防止することができる。
【００１４】
また、本発明において、前記中栓の嵌合部は、その内方に突出する第１突起を備え、前記ボトルの口部は、該中栓の第１突起に嵌合すべく外方に突出する第２突起を備え、前記中栓の第１突起は、少なくとも前記張出し部に対応する範囲の突出量が他部より小とされていることを特徴とする。
【００１５】
これによれば、張出し部側における嵌合部の嵌合強度を他側より弱くすることができる。従って、ボトルから中栓を取り外す際に、前述したように、開口部からの棒状の物体（スプーンの柄等）を挿入して該物体の端部を前記張出し部の下面側に掛止させ、該張出し部の対向側の嵌合部の上縁を支点として棒状の物体を揺動させて張出し部を押し上げて、ボトルの口部への嵌合部の嵌合を解除させるとき、張出し部側の第１突起が第２突起から容易に外れ、中栓を円滑に取り外すことができる。一方、張出し部側以外の第１突起は第２突起に強固に嵌合して、使用中のボトルの口部から中栓が不用意に外れることが防止できる。
【００１６】
また、本発明においては、前記中栓は射出成形により形成され、射出成形時のゲート痕が前記張出し部に形成されることが好ましい。ゲート痕は射出成形品の表面に僅かな凹凸として残り、他の部材との接触面にゲート痕が形成されていると、密着度が阻害されて密封性を損なうおそれがある。本発明においては、前記張出し部にゲート痕が形成されるようにしたことにより、前記注出口体との接触面を平滑とすることができ、高い密封性を得ることができる。
【００１７】
また、本発明において、前記注出口体は、前記注出口が前記中栓の開口部の位置に対応して偏心した位置に形成されていると共に、前記中栓の外周壁に螺着することにより前記ボトルに取り付けられ、該注出口体の中栓への螺着完了時に中栓の開口部の直上に注出口が位置することを特徴とする。
【００１８】
注出口体が中栓の外周壁に螺着して取り付けられることにより、注出口体の取り付け及び取り外しが極めて容易に行える。ここで、注出口体の注出口を偏心して設けているので、ボトルを傾けてボトル内の液状内容物を確実に注出方向へ案内することが可能となるが、注出口が偏心した位置に設けられていると、注出口の下方に前記張出し部が位置した場合には、張出し部が邪魔板となって、円滑な注出が阻害される。
【００１９】
そこで、本発明においては、中栓と注出口体とを螺着させるねじ山の関係を利用して、注出口体の中栓への螺着完了時に中栓の開口部の直上に注出口が位置するようになっている。これによれば、注出口体をボトルの口部に取り付けるときに、中栓への螺着を完了させるだけで注出口体の注出口が中栓の開口部の直上に位置するので、中栓に前記張出し部が形成されていても円滑な注出を行うことができる。
【００２０】
また、本発明においては、前記中栓の上端周縁に沿って環状に形成されて起立する起立壁を設け、前記注出口体における前記起立壁に対向する内面側に、前記中栓を介して該注出口体を前記ボトルの口部に取り付けたとき、前記起立壁の全周一側面に液密に密着する筒状の垂下壁を設けたことを特徴とする。
【００２１】
これによれば、ボトルの口部に嵌着された中栓を介して注出口体を取り付けたとき、中栓の起立壁と注出口体の垂下壁とが液密に密着するので、中栓と注出口体と接触部分からの液漏れを確実に防止して密封性を向上させることができる。
【００２２】
また、本発明において、前記張出し部は、その一部に上下方向に貫通する貫通部が形成されていてもよい。こうすることにより、ボトル内部の液状内容物が張出し部の上面側に流れ込んでも、貫通部からボトル内部に落下させることができ、液状内容物の張出し部への付着残留を抑制することができる。
【００２３】
また、本発明において、前記張出し部は、前記開口部に向かって次第に下降するように傾斜して設けられていてもよい。これによれば、張出し部の下面側に掛止させた棒状の物体（スプーンの柄等）の端部によって張出し部を押し上げて中栓をボトルの口部から取り除くとき、この押し上げ力に対する張出し部の歪みを前記傾斜により抑制することができる。従って、分別廃棄の際に比較的小さな力で中栓をボトルの口部から取り外すことができ、更に、張出し部を比較的薄肉として材料コストを削減することもできる。しかも、張出し部が傾斜していることによって、張出し部に付着した液状内容物を傾斜に沿って流下させて開口部からボトル内部に落下させることができるので、液状内容物の張出し部への付着残留を抑制することができる。
【００２４】
また、本発明において、前記注出口体は、その下面から垂下して前記フィルムに圧接することにより該フィルムの貼着位置を押える押え片を備えてもよい。これによれば、例えば、未開封の状態でボトルを落下させた場合に、液状内容物によりフィルムに衝撃が付与されても、押え片による押しつけによりフィルムの貼着状態を強固に維持することができ、衝撃等によるフィルムの不用意な剥離を確実に防止することができる。
【図面の簡単な説明】
【００２５】
【図１】本発明の一実施形態の合成樹脂製キャップを示す断面図。
【図２】封止状態の中栓の平面図。
【図３】開封状態の中栓の平面図。
【図４】中栓の取り外し作業を示す説明図。
【図５】本発明の他の実施形態の合成樹脂製キャップを示す断面図。
【発明を実施するための形態】
【００２６】
本発明の一実施形態を図面に基づいて説明する。図１に示すように、合成樹脂製キャップ１は、合成樹脂製ボトル２の口部２ａに嵌着固定される中栓３と、この中栓３に着脱自在に螺着される注出口体４とにより構成されている。
【００２７】
中栓３は、ボトル２の口部２ａの上縁から所定距離を存した下方位置の外周に環状に突出するサポートリング２ｂよりも上方位置に嵌着され、ボトル２の口部２ａの上縁部に嵌合する嵌合部５を備えている。嵌合部５は、ボトル２の口部２ａの内周面に密着する円筒状の内筒部５ａと、口部２ａの外周面を覆う円筒状の外筒部５ｂと、口部２ａの上縁を跨いで内筒部５ａの頂部と外筒部５ｂの頂部とを一体に連結する連結部５ｃとを備えている。
【００２８】
外筒部５ｂの内面側には、内方に環状に突出する第１突起６が形成されている。第１突起６は、ボトル２の口部２ａに外方に突出して形成された第２突起７に嵌合することにより、ボトル２の口部２ａへの中栓３の嵌着状態を強固に維持する。
【００２９】
中栓３の連結部５ｃには環状に形成されて起立する起立壁８が形成されている。更に、図１及び図２に示すように、起立壁８の内側の上板部９には、中栓３の上側を覆って封止するフィルム１０が剥離自在に貼着されている。なお、図２において符号１０ａにより示すものは、フィルム１０の一部に設けられてフィルム１０の剥離作業時に把持するタブである。
【００３０】
中栓３の内筒部５ａの上端側には、図１及び図３に示すように、内筒部５ａの径方向一方側から内方に張出す板状の張出し部１１が形成されている。張出し部１１は、ボトル２の口部２ａの一部を覆っており、張出し部１１に覆われていない部分には、ボトル２の内部に連通する開口部１２が形成されている。開口部１２は、張出し部１１の端縁を内周縁の一部として張出し部１１の面積より大きく開口され、その上側に設けられた前記フィルム１０により封止されている。
【００３１】
このように形成された中栓３は、図示しない打栓機によりボトル２の口部２ａに嵌着される。このとき、中栓３はボトル２のサポートリング２ｂより上方位置に設けられる形状であるので、打栓機においてはサポートリング２ｂを支持して中栓３を打栓することができる。従って、ボトル２が薄肉軽量化されて座屈強度が比較的弱いものであっても、ボトル２を損傷させることなく中栓３を取り付けることができ、また、専用の打栓機によらずとも、既存の打栓機を用いてボトル２に中栓３を取り付けることができるので、製造コストの増加を防止することができる。
【００３２】
注出口体４は、図１に示すように、中栓３に螺着することにより中栓３を介してボトル２の口部２ａを覆う基体部１３と、基体部１３の一部にヒンジ１４を介して揺動自在に連設された蓋部１５とにより構成されている。基体部１３は、ボトル２の内部の図示しない液状内容物を外部に案内する注出口１６が形成された天板部１７と、天板部１７の外周縁全周に連設されて下方に延びる筒状のスカート部１８とを備えている。
【００３３】
蓋部１５は、注出口１６に対応する位置に注出口１６を閉塞する閉塞部１９を備えている。また、蓋部１５のヒンジ１４と反対側には指掛け部２０が形成されており、その内周面に形成された突部２１が基体部１３の天板部１７の外周縁部に形成された係止部２２に係止されて閉蓋される。
【００３４】
注出口１６はヒンジ１４の反対側に偏心して設けられている。これにより、蓋部１５を開けた状態で、ヒンジ１４の反対側にボトル２を傾けて液状内容物を注出する際に、液状内容物を確実に注出方向へ案内することが可能となっている。
【００３５】
スカート部１８の内側面には、中栓３の外筒部５ｂの外側面に形成された第１ねじ山２３に螺合する第２ねじ山２４が形成されており、注出口体４を回転させるだけで、注出口体４の取り付けと取り外しが行える。
【００３６】
ここで、中栓３は内筒部５ａの径方向一方側に板状の前記張出し部１１が設けられている。そして、注出口体４は偏心した位置に注出口１６が形成されている。このため、注出口１６の下方に張出し部１１が位置した場合には、張出し部１１が邪魔板となって、円滑な注出が阻害されるおそれがある。そこで、本実施形態においては、中栓３と注出口体４とを螺着させる両ねじ山２３，２４が、螺着完了時に中栓３の開口部１２の直上に注出口１６が位置するように設定されている。これによれば、注出口体４を回転させて中栓３への螺着を完了させるだけで注出口１６が中栓３の開口部１２の直上に位置させることができる。
【００３７】
更に、注出口体４の天板部１７の下面には、中栓３の起立壁８の全周一側面に液密に密着する筒状の垂下壁２５が形成されている。中栓３の起立壁８と注出口体４の垂下壁２５とが密着することにより、液状内容物の漏れを確実に防止することができ、密封性を向上させることができる。
【００３８】
また、上記構成の合成樹脂製キャップ１は、未開封状態から新規開封する場合には、先ず、注出口体４の中栓３への螺着を解除して取り外す。次いで、中栓３に貼着されているフィルム１０を引き剥がし、中栓３の開口部１２を開放させる。その後、注出口体４を中栓３に螺着する。そして、ボトル２の内部の液状内容物を注出するときには、注出口体４の蓋部１５を基体部１３から外してヒンジ１４を介して揺動させ、注出口１６を開放してボトル２を傾ける。
【００３９】
なお、中栓３は射出成形により形成されるため、射出成形時のゲート痕がその表面に僅かな凹凸として残るが、中栓３に張出し部１１を備えるとにより、図１及び図３に示すように、ゲート痕Ｇを張出し部１１に形成することができる。このため、注出口体４と中栓３との接触面を平滑とすることができ、高い密封性を得ることができる。
【００４０】
また、ボトル２の内部が空になった使用後には、次のようにして分別廃棄を行うことができる。即ち、先ず、注出口体４の中栓３への螺着を解除して取り外す。次いで、図４（ａ）に示すように、開口部１２からスプーンの柄等の棒状の物体Ｗを挿入して該物体Ｗの端部を張出し部１１の下面側に掛止させる。そして、図４（ｂ）に示すように、張出し部１１の対向側の嵌合部５の上縁（起立壁８）を支点として物体Ｗを揺動させて張出し部１１を押し上げる。こうすることで、第１突起６が第２突起７から外れ、中栓３がボトル２の口部２ａから離脱する。
【００４１】
このように、注出口体４を中栓３に螺着する構成としたことにより、注出口体４の取り外しが容易であるだけでなく、比較的強固に嵌着されている中栓３も、棒状の物体Ｗを用いれば極めて容易に取り外すことができ、分別廃棄を容易に行うことができる。ここで、図１に一部を示すように、張出し部１１に対応する範囲の前記第１突起６の突出量を、張出し部１１に対応する範囲以外の第１突起６の突出量より小としておくことにより、張出し部１１側の第１突起６が外れやすくなり、中栓３の嵌着状態を強固に維持しながら、張出し部１１の押し上げ力を比較的小さくして中栓３の取り外しを容易に行うことができる。
【００４２】
また、前記張出し部１１においては、図示しないが、その一部に上下方向に貫通する貫通部が形成されていてもよい。これによれば、張出し部１１の上面側に流れ込んだ液状内容物が、貫通部からボトル２の内部に落下し易くなり、張出し部への液状内容物の付着残留を抑制することができる。
【００４３】
また、前記張出し部１１においては、図示しないが、開口部１２に向かって次第に下降するように傾斜させた状態に設けてもよい。こうすることで、中栓３をボトル２の口部２ａから取り除くとき、張出し部１１を棒状の物体Ｗで押し上げる際の張出し部１１の歪みを抑制することができ、比較的小さな力で中栓３を取り外すことができ、更に、張出し部１１を比較的薄肉として材料コストを削減することができる。しかも、張出し部１１が傾斜していることにより、張出し部１１に付着した液状内容物が傾斜に沿って流下し易くなり、液状内容物の張出し部への付着残留を抑制することができる。
【００４４】
また、本発明においては、他の実施形態として、図５に示すように、垂下壁２５の内側に、注出口体４の天板部１７の下面から垂下する押え片２６を設けることが好ましい。押え片２６は、その下縁がフィルム１０の上面に当接してフィルム１０を上板部９に押しつける。このとき、押え片２６は、環状に或いは所定間隔を存して複数設けてもよく、その下縁がフィルム１０の上板部９への貼着部分に対応して当接するように設けられる。これによれば、例えば、未開封の状態でボトル２を落下させた場合に、その衝撃に伴いボトル２内部の液状内容物がフィルム１０をその内側から激しく押圧しても、押え片２６による押しつけによりフィルム１０の貼着状態を強固に維持することができ、衝撃等によるフィルム１０の不用意な剥離を確実に防止することができる。
【符号の説明】
【００４５】
１…合成樹脂製キャップ、２…合成樹脂製ボトル、２ａ…口部、２ｂ…サポートリング、３…中栓、４…注出口体、５…嵌合部、６…第１突起、７…第２突起、８…起立壁、１０…フィルム、１１…張出し部、１２…開口部、１６…注出口、２５…垂下壁、２６…押え片、Ｇ…ゲート痕。
【図１】
0005394209.tif 000002
【図２】
0005394209.tif 000003
【図３】
0005394209.tif 000004
【図４】
0005394209.tif 000005
【図５】
0005394209.tif 000006